(57)【要約】【課題】接続された電話機のＮＤ（Number  Display：ナンバディスプレイ）契約状態と電話機のＮＤ対応状態との判定結果に応じて、アナウンスを電話機のユーザに送信するとともに、ＣＡＲ信号によるＮＤ通知用呼び出し音を誤鳴動させることを防止することが可能なホームゲートウェイ装置を提供する。【解決手段】電話網２と電話機３との間に介在して、電話機３の通信に関する制御を行うホームゲートウェイ装置１は、電話機３との間で送受信する信号の監視結果に基づき、電話機３がＮＤ対応の電話機か否かをＮＤ対応検出部１２４にて検出して、検出結果をＮＤ対応電話機情報保存部１１１に保存するとともに、電話機３がＮＤ契約済みの電話機であるにも関わらず、ＮＤ非対応の電話機が接続されていることをＮＤ対応検出部１２４が検出した場合、通知部１２５は、電話機３に対して、ＮＤ対応の電話機に交換することを促すアナウンスを送信する。【選択図】        図１
2019083464.tif 000002
【特許請求の範囲】
【請求項１】
電話機と電話網との間に介在して、該電話機の通信に関する制御を行うホームゲートウェイ装置であって、
前記電話機との間で送受信する信号の監視結果に基づいて、当該電話機がナンバディスプレイ（Number  Display：以下‘ＮＤ’と略記）対応の電話機であるかＮＤ非対応の電話機であるかを検出するＮＤ対応検出手段と、
前記ＮＤ対応検出手段が検出した検出結果を保存するＮＤ対応電話機情報保存手段と、
前記電話機のユーザに対して適切な対応を促すためのアナウンスを送信する通知手段と
を有し、
前記電話機が、ＮＤ契約済みの電話機であるにも関わらず、当該電話機がＮＤ非対応の電話機であることを前記ＮＤ対応検出手段が検出した場合、前記通知手段により、当該電話機に対して、ＮＤ対応の電話機に交換することを促すアナウンスを送信する
ことを特徴とするホームゲートウェイ装置。
【請求項２】
前記ＮＤ対応検出手段は、
前記電話機に対してＮＤ情報受信端末起動信号(ＣＡＲ信号)を送信した後、一次応答監視時間としてあらかじめ定めた一定時間が経過するまでに、前記電話機からOff  Hook信号を一次応答信号として受信しなかった場合、
または、
前記電話機に対して発信者情報を含むＮＤ情報をモデム信号として送信した後、制限時間としてあらかじめ定めた一定時間が経過するまでに、前記電話機からOn  Hook信号を受信完了信号として受信しなかった場合、
前記電話機は、ＮＤ非対応の電話機であると判定する
ことを特徴とする請求項１に記載のホームゲートウェイ装置。
【請求項３】
前記電話機の電話回線が物理的に接続されたタイミングで直ちに当該電話機を検出する電話機検出手段
をさらに有し、
前記電話機検出手段において、電話回線が物理的に接続された前記電話機を検出した際に、
前記ＮＤ対応検出手段により、当該電話機がＮＤ対応の電話機であるかＮＤ非対応の電話機であるかを検出する
ことを特徴とする請求項１または２に記載のホームゲートウェイ装置。
【請求項４】
前記電話機がＮＤ契約済みの電話機であるかＮＤ未契約の電話機であるかを判定するＮＤ契約判定手段と、
前記ＮＤ契約判定手段が判定した判定結果を保存するＮＤ契約情報保存手段と
をさらに有し、
前記ＮＤ契約判定手段においてＮＤ契約済みの電話機であると判定した前記電話機が、前記ＮＤ対応検出手段においてＮＤ非対応の電話機であると判断された場合には、
前記通知手段により、当該電話機に対して、当該電話機をＮＤ対応の電話機に交換するか、または、当該電話機のＮＤ契約内容を見直すことを促すアナウンスを送信し、
または、
前記ＮＤ契約判定手段においてＮＤ未契約の電話機であると判定した前記電話機が、前記ＮＤ対応検出手段においてＮＤ対応の電話機であると判断された場合には、
前記通知手段により、当該電話機に対して、当該電話機をＮＤ非対応の電話機に交換するか、または、当該電話機のＮＤ契約内容を見直すことを促すアナウンスを送信する
ことを特徴とする請求項１ないし３のいずれかに記載のホームゲートウェイ装置。
【請求項５】
前記ＮＤ契約判定手段は、
前記電話網から前記電話機への電話着信時に、電話着信用呼び出し信号（ＩＲ信号）が送信されてきたことを検出した場合に、当該電話機がＮＤ未契約の電話機であると判定し、一方、ＮＤ情報受信端末起動信号(ＣＡＲ信号)が送信されてきたことを検出した場合に、当該電話機がＮＤ契約済みの電話機であると判定する
ことを特徴とする請求項４に記載のホームゲートウェイ装置。
【請求項６】
電話機と電話網との間に介在して、該電話機の通信に関する制御を行うホームゲートウェイ装置において、前記電話機がナンバディスプレイ対応の電話機であるかナンバディスプレイ非対応の電話機であるかを検出するナンバディスプレイ対応検出方法であって、
前記電話機との間で送受信する信号の監視結果に基づいて、当該電話機がナンバディスプレイ（Number  Display：以下‘ＮＤ’と略記）対応の電話機であるかＮＤ非対応の電話機であるかを検出するＮＤ対応検出ステップと、
前記ＮＤ対応検出ステップにおいて検出された検出結果を保存するＮＤ対応電話機情報保存ステップと、
前記電話機のユーザに対して適切な対応を促すためのアナウンスを送信する通知ステップと
を有し、
前記電話機が、ＮＤ契約済みの電話機であるにも関わらず、当該電話機がＮＤ非対応の電話機であることが前記ＮＤ対応検出ステップにおいて検出された場合、前記通知ステップにおいて、当該電話機に対して、ＮＤ対応の電話機に交換することを促すアナウンスを送信する
ことを特徴とするナンバディスプレイ対応検出方法。
【請求項７】
前記ＮＤ対応検出ステップは、
前記電話機に対してＮＤ情報受信端末起動信号(ＣＡＲ信号)を送信した後、一次応答監視時間としてあらかじめ定めた一定時間が経過するまでに、前記電話機からOff  Hook信号を一次応答信号として受信しなかった場合、
または、
前記電話機に対して発信者情報を少なくとも含むＮＤ情報をモデム信号として送信した後、制限時間としてあらかじめ定めた一定時間が経過するまでに、前記電話機からOn  Hook信号を受信完了信号として受信しなかった場合、
前記電話機は、ＮＤ非対応の電話機であると判定する
ことを特徴とする請求項６に記載のナンバディスプレイ対応検出方法。
【請求項８】
前記電話機の電話回線が物理的に接続されたタイミングで直ちに当該電話機を検出する電話機検出ステップ
をさらに有し、
前記電話機検出ステップにおいて、電話回線が物理的に接続された前記電話機を検出した際に、
前記ＮＤ対応検出ステップにより、当該電話機がＮＤ対応の電話機であるかＮＤ非対応の電話機であるかを検出する
ことを特徴とする請求項６または７に記載のナンバディスプレイ対応検出方法。
【請求項９】
前記電話機がＮＤ契約済みの電話機であるかＮＤ未契約の電話機であるかを判定するＮＤ契約判定ステップと、
前記ＮＤ契約判定ステップが判定した判定結果を保存するＮＤ契約情報保存ステップと
をさらに有し、
前記ＮＤ契約判定ステップにおいてＮＤ契約済みの電話機であると判定した前記電話機が、前記ＮＤ対応検出ステップにおいてＮＤ非対応の電話機であると判断された場合には、
前記通知ステップにより、当該電話機に対して、当該電話機をＮＤ対応の電話機に交換するか、または、当該電話機のＮＤ契約内容を見直すことを促すアナウンスを送信し、
または、
前記ＮＤ契約判定ステップにおいてＮＤ未契約の電話機であると判定した前記電話機が、前記ＮＤ対応検出ステップにおいてＮＤ対応の電話機であると判断された場合には、
前記通知ステップにより、当該電話機に対して、当該電話機をＮＤ非対応の電話機に交換するか、または、当該電話機のＮＤ契約内容を見直すことを促すアナウンスを送信する
ことを特徴とする請求項６ないし８のいずれかに記載のナンバディスプレイ対応検出方法。
【請求項１０】
電話機と電話網との間に介在して、該電話機の通信に関する制御を行うホームゲートウェイ装置において、前記電話機がナンバディスプレイ対応の電話機であるかナンバディスプレイ非対応の電話機であるかを検出する動作をコンピュータによって実行するナンバディスプレイ対応検出プログラムであって、
前記電話機との間で送受信する信号の監視結果に基づいて、当該電話機がナンバディスプレイ（Number  Display：以下‘ＮＤ’と略記）対応の電話機であるかＮＤ非対応の電話機であるかを検出するＮＤ対応検出処理と、
前記ＮＤ対応検出処理において検出された検出結果を保存するＮＤ対応電話機情報保存処理と、
前記電話機のユーザに対して適切な対応を促すためのアナウンスを送信する通知処理と
を有し、
前記電話機が、ＮＤ契約済みの電話機であるにも関わらず、当該電話機がＮＤ非対応の電話機であることが前記ＮＤ対応検出処理において検出された場合、前記通知処理において、当該電話機に対して、ＮＤ対応の電話機に交換することを促すアナウンスを送信する
ことを特徴とするナンバディスプレイ対応検出プログラム。
【発明の詳細な説明】
【技術分野】
【０００１】
本発明は、ホームゲートウェイ装置、ナンバディスプレイ対応検出方法およびナンバディスプレイ対応検出プログラムに関し、特に、使用される電話機がナンバディスプレイ対応の電話機か否かを検出するホームゲートウェイ装置、ナンバディスプレイ対応検出方法およびナンバディスプレイ対応検出プログラムに関する。
【背景技術】
【０００２】
電話機としてナンバディスプレイ（Number  Display：以下、ＮＤと略記する）非対応の電話機を使用している場合、モデム信号として送信される発信者情報に関するＮＤ情報の直前に送信されてくるＣＡＲ信号（情報受信端末起動信号）を受信すると、該ＣＡＲ信号により電話機が誤鳴動して、時間的損失を発生させ、また、ナンバディスプレイサービスを享受できないにも関わらず金銭的損失も発生させてしまうので、電話機のユーザは早期に誤鳴動を発見して対応することが必要となる。しかし、たとえ誤鳴動が発生しても、電話機システムに詳しくない一般のユーザは、誤鳴動の原因を特定することができず、問題解決に時間がかかってしまう。
【０００３】
このため、かくのごとき誤鳴動対策として、特許文献１の特開２０１５−２０１７４６号公報「通信制御装置」においては、以下のような技術が提案されている。すなわち、電話機と電話網との間に介在する通信制御装置としてホームゲートウェイ装置（ＨＧＷ）を備え、該ホームゲートウェイ装置（ＨＧＷ）は、記憶部に当該電話機がＮＤ契約されている旨が設定されていた場合には、当該電話機に対してＣＡＲ信号（情報受信端末起動信号）を送信し、しかる後、所定時間以内に、当該電話機から応答信号が返送されてくるか否かを監視するようにしている。
【０００４】
そして、該所定時間以内に応答信号が返送されてこなかった場合には、ホームゲートウェイ装置（ＨＧＷ）は、当該電話機がＮＤ非対応の電話機であると見做して、記憶部に設定されているＮＤ契約の設定情報を、ＮＤ非契約を示す情報に書き換えることにより、当該電話機への以降のＣＡＲ信号（情報受信端末起動信号）の送信を抑止する、という技術である。
【先行技術文献】
【特許文献】
【０００５】
【特許文献１】特開２０１５−２０１７４６号公報
【発明の概要】
【発明が解決しようとする課題】
【０００６】
しかしながら、本発明に関連する前記特許文献１に記載のような現状の誤鳴動防止技術においては、電話機のユーザは、ＮＤ契約済みにも関わらず、強制的に非契約状態になって、ＮＤサービスを享受することができなくなる状態に設定されてしまうのみならず、使用している電話機がＮＤ未対応の電話機であることを、認識しないままの状況が継続するという問題があるとともに、初回着信時における電話機の誤鳴動に関しては防止することができないという問題もある。
【０００７】
以下に、本発明に関連する現状のＮＤ非対応電話機における誤鳴動に関する問題点について図１０、図１１を参照してさらに説明する。ここで、前記特許文献１の場合と同様、電話機がホームゲートウェイ装置（ＨＧＷ装置）を介して電話網に接続されている場合を想定して説明する。さらに、該電話機は、ＮＤ契約済みであるにも関わらず、ＮＤ機能には対応していないＮＤ非対応電話機である場合について説明する。図１０は、現状のＮＤ非対応電話機における問題を説明するためのシーケンスチャートであり、ＮＤ非対応電話機とホームゲートウェイ装置（ＨＧＷ装置）との間の信号の流れを示している。
【０００８】
図１０のシーケンスチャートにおいて、ホームゲートウェイ装置（ＨＧＷ装置）は電話網から着信信号を受け取ると、着信先の電話機がＮＤ契約されているか否かを確認して、ＮＤ契約されていた場合には、ＮＤ情報受信端末起動信号(ＣＡＲ信号)を、ＮＤ非対応電話機に対して送信する（シーケンスＳｅｑ１）。その結果、ＮＤ非対応電話機は、受信した該ＣＡＲ信号に応じて、ＮＤ通知用呼び出し音（ＣＡＲ）の鳴動を行う。そして、ＣＡＲ信号によるＮＤ通知用呼び出し音（ＣＡＲ）の鳴動を、通常の電話着信用呼び出し音（ＩＲ）の鳴動と誤解して、ＮＤ非対応電話機のユーザが、Off  Hook操作を行うと、ＮＤ非対応電話機は、一次応答信号としてOff  Hook信号をホームゲートウェイ装置（ＨＧＷ装置）に返送する（シーケンスＳｅｑ２）。
【０００９】
ＮＤ非対応電話機からのOff  Hook信号を受信したホームゲートウェイ装置（ＨＧＷ装置）は、発信者情報等のＮＤ情報をモデム信号としてＮＤ非対応電話機に対して送信する（シーケンスＳｅｑ３）。該モデム信号を受信したＮＤ非対応電話機は、該モデム信号をそのままモデム信号音として出力するので、ユーザは、該モデム音を聴くことができる。また、該モデム信号を受信したＮＤ非対応電話機は、受信が完了すると、受信完了信号としてOn  Hook信号をホームゲートウェイ装置（ＨＧＷ装置）に返送する（シーケンスＳｅｑ４）。
【００１０】
以降、ホームゲートウェイ装置（ＨＧＷ装置）は、電話着信用呼び出し信号（ＩＲ信号）をＮＤ非対応電話機に対して送信して、ＮＤ非対応電話機のユーザに対して電話着信通知を行い、応答信号を受信することにより、通話フェーズに移行するという、通常の電話着信シーケンスを実行することになる。なお、シーケンスＳｅｑ３において、ホームゲートウェイ装置（ＨＧＷ装置）は、モデム信号の送信後、ＮＤ非対応電話機からの受信完了信号を受け取るまでの許容待ち時間として７秒間待ち合わせる。ＮＤ非対応電話機からの受信完了信号が７秒の間に届かない場合には、エラー発生と判定され、通話状態に移行することはできない。
【００１１】
すなわち、ＣＡＲ信号によるＮＤ通知用呼び出し音（ＣＡＲ）の鳴動を、通常の電話着信用呼び出し音（ＩＲ）の鳴動と誤解して、ＮＤ非対応電話機のユーザが、Off  Hook操作を行った場合、前述のように、ホームゲートウェイ装置（ＨＧＷ装置）から、発信者情報等のＮＤ情報がモデム信号としてＮＤ非対応電話機に送られてくる。しかし、当該電話機は、ＮＤ非対応であるので、送られてきた発信者情報等のＮＤ情報を正しく出力して表示したりすることはできないので、ＮＤ非対応電話機のユーザは、どんな状況が発生しているのか理解することができないので、On  Hook操作も行うことなく、そのまま、放置してしまう場合が発生する。
【００１２】
しかし、ＮＤ非対応電話機のユーザが、該モデム信号を受信してから、７秒以内に、On  Hook操作を行って、ホームゲートウェイ装置（ＨＧＷ装置）に対して受信完了信号としてOn  Hook信号を返送しない限り、ホームゲートウェイ装置（ＨＧＷ装置）は、当該ＮＤ非対応電話機にエラーが生じているものと見做して、以降、ＮＤ非対応電話機による通話ができない状態に強制的に設定してしまう。したがって、ＮＤ非対応電話機のユーザにとっては、原因が不明のまま、ＮＤ非対応電話機を利用することができなくなるという状況が発生してしまう。
【００１３】
図１１は、現状のＣＡＲ信号によるＮＤ通知用呼び出し音（ＣＡＲ）と通常のリンガー音すなわち電話着信用呼び出し音（ＩＲ）との信号の違いを説明するための模式図であり、図１１（Ａ）は、ＮＤ通知用呼び出し音（ＣＡＲ）の信号を示し、図１１（Ｂ）は、通常のリンガー音すなわち電話着信用呼び出し音（ＩＲ）の信号を示している。図１１に示すように、ＮＤ通知用呼び出し音（ＣＡＲ）と電話着信用呼び出し音（ＩＲ）とは、いずれも、１５〜２０Ｈｚの周波数の信号を用いて電話機を鳴動させるが、電話機を鳴動させる周期が両者で異なっている、すなわち、ＮＤ通知用呼び出し音（ＣＡＲ）は、図１１（Ａ）に示すように、１秒周期で、０．４〜０．６秒の間継続して１５〜２０Ｈｚの周波数で電話機を鳴動させる動作を繰り返すが、電話着信用呼び出し音（ＩＲ）の場合は、３秒周期で、１秒の間継続して１５〜２０Ｈｚの周波数で電話機を鳴動させる動作を繰り返す。
【００１４】
（本発明の目的）
本発明は、以上に説明したような問題に鑑みてなされたものであり、接続された電話機のＮＤ契約状態と電話機のＮＤ対応状態とに応じて、電話機のユーザに対して適切な対応を促すためのアナウンスを送信するとともに、ＣＡＲ信号によるＮＤ通知用呼び出し音（ＣＡＲ）を誤鳴動させることを防止することが可能なホームゲートウェイ装置、ナンバディスプレイ対応検出方法およびナンバディスプレイ対応検出プログラムを提供することにある。
【課題を解決するための手段】
【００１５】
前述の課題を解決するため、本発明によるホームゲートウェイ装置、ナンバディスプレイ対応検出方法およびナンバディスプレイ対応検出プログラムは、主に、次のような特徴的な構成を採用している。
【００１６】
（１）本発明によるホームゲートウェイ装置は、
電話機と電話網との間に介在して、該電話機の通信に関する制御を行うホームゲートウェイ装置であって、
前記電話機との間で送受信する信号の監視結果に基づいて、当該電話機がナンバディスプレイ（Number  Display：以下‘ＮＤ’と略記）対応の電話機であるかＮＤ非対応の電話機であるかを検出するＮＤ対応検出手段と、
前記ＮＤ対応検出手段が検出した検出結果を保存するＮＤ対応電話機情報保存手段と、
前記電話機のユーザに対して適切な対応を促すためのアナウンスを送信する通知手段と
を有し、
前記電話機が、ＮＤ契約済みの電話機であるにも関わらず、当該電話機がＮＤ非対応の電話機であることを前記ＮＤ対応検出手段が検出した場合、前記通知手段により、当該電話機に対して、ＮＤ対応の電話機に交換することを促すアナウンスを送信する
ことを特徴とする。
【００１７】
（２）本発明によるナンバディスプレイ対応検出方法は、
電話機と電話網との間に介在して、該電話機の通信に関する制御を行うホームゲートウェイ装置において、前記電話機がナンバディスプレイ対応の電話機であるかナンバディスプレイ非対応の電話機であるかを検出するナンバディスプレイ対応検出方法であって、
前記電話機との間で送受信する信号の監視結果に基づいて、当該電話機がナンバディスプレイ（Number  Display：以下‘ＮＤ’と略記）対応の電話機であるかＮＤ非対応の電話機であるかを検出するＮＤ対応検出ステップと、
前記ＮＤ対応検出ステップにおいて検出された検出結果を保存するＮＤ対応電話機情報保存ステップと、
前記電話機のユーザに対して適切な対応を促すためのアナウンスを送信する通知ステップと
を有し、
前記電話機が、ＮＤ契約済みの電話機であるにも関わらず、当該電話機がＮＤ非対応の電話機であることが前記ＮＤ対応検出ステップにおいて検出された場合、前記通知ステップにおいて、当該電話機に対して、ＮＤ対応の電話機に交換することを促すアナウンスを送信する
ことを特徴とする。
【００１８】
（３）本発明によるナンバディスプレイ対応検出プログラムは、
電話機と電話網との間に介在して、該電話機の通信に関する制御を行うホームゲートウェイ装置において、前記電話機がナンバディスプレイ対応の電話機であるかナンバディスプレイ非対応の電話機であるかを検出する動作をコンピュータによって実行するナンバディスプレイ対応検出プログラムであって、
前記電話機との間で送受信する信号の監視結果に基づいて、当該電話機がナンバディスプレイ（Number  Display：以下‘ＮＤ’と略記）対応の電話機であるかＮＤ非対応の電話機であるかを検出するＮＤ対応検出処理と、
前記ＮＤ対応検出処理において検出された検出結果を保存するＮＤ対応電話機情報保存処理と、
前記電話機のユーザに対して適切な対応を促すためのアナウンスを送信する通知処理と
を有し、
前記電話機が、ＮＤ契約済みの電話機であるにも関わらず、当該電話機がＮＤ非対応の電話機であることが前記ＮＤ対応検出処理において検出された場合、前記通知処理において、当該電話機に対して、ＮＤ対応の電話機に交換することを促すアナウンスを送信する
ことを特徴とする。
【発明の効果】
【００１９】
本発明のホームゲートウェイ装置、ナンバディスプレイ対応検出方法およびナンバディスプレイ対応検出プログラムによれば、以下のような効果を奏することができる。
【００２０】
電話機のユーザが、ＮＤ契約済みにも関わらずＮＤ非対応電話機を使用している場合、ホームゲートウェイ装置（ＨＧＷ装置）において、かかる事態を検出して、当該ユーザに対して、電話機をＮＤ対応電話機にリプレースすることを促すアナウンスを送出するので、当該電話機のユーザは、電話機の誤鳴動の原因を理解することができるとともに、当該ユーザが電話機をＮＤ対応電話機に交換した時点で、電話機３の誤鳴動、すなわち、ＣＡＲ信号（ナンバディスプレイ（ＮＤ）情報受信端末起動信号）によるナンバディスプレイ（ＮＤ）通知用呼び出し音の誤鳴動を防止することが可能になる。
【図面の簡単な説明】
【００２１】
【図１】本発明の第１の実施形態に係るＨＧＷ装置の内部構成の一例を示す装置構成図である。
【図２】本発明の第１の実施形態として図１に示したＨＧＷ装置の動作の概要を説明するためのシーケンスチャートである。
【図３】本発明の第１の実施形態として図１に示したＨＧＷ装置の動作の流れの概要を示すフローチャートである。
【図４】本発明の第１の実施形態として図１に示したＨＧＷ装置において電話機からの受信完了信号をあらかじめ定めた制限時間以内に受信することができなかった場合のＨＧＷ装置と電話機との間の信号のやり取りの一例を示すシーケンスチャートである。
【図５】本発明の第１の実施形態として図１に示したＨＧＷ装置において電話機からの一次応答信号をあらかじめ定めた一次応答監視時間以内に受信することができなかった場合のＨＧＷ装置と電話機との間の信号のやり取りの一例を示すシーケンスチャートである。
【図６】本発明の第２の実施形態に係るＨＧＷ装置の内部構成の一例を示す装置構成図である。
【図７】本発明の第２の実施形態として図６に示したＨＧＷ装置の動作の概要を説明するためのシーケンスチャートである。
【図８】本発明の第３の実施形態に係るＨＧＷ装置の内部構成の一例を示す装置構成図である。
【図９】本発明の第３の実施形態として図８に示したＨＧＷ装置の動作の概要を説明するためのシーケンスチャートである。
【図１０】現状のＮＤ非対応電話機における問題を説明するためのシーケンスチャートである。
【図１１】現状のＣＡＲ信号によるＮＤ通知用呼び出し音（ＣＡＲ）と通常のリンガー音すなわち電話着信用呼び出し音（ＩＲ）との信号の違いを説明するための模式図である。
【発明を実施するための形態】
【００２２】
以下、本発明によるホームゲートウェイ装置、ナンバディスプレイ対応検出方法およびナンバディスプレイ対応検出プログラムの好適な実施形態について添付図を参照して説明する。なお、以下の説明においては、本発明によるホームゲートウェイ装置およびナンバディスプレイ対応検出方法について説明するが、かかるナンバディスプレイ対応検出方法をコンピュータにより実行可能なナンバディスプレイ対応検出プログラムとして実施するようにしても良いし、あるいは、ナンバディスプレイ対応検出プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００２３】
（本発明の特徴）
本発明の実施形態の説明に先立って、本発明の特徴についてその概要をまず説明する。本発明は、接続した電話機が、ナンバディスプレイ(Number  Display：以下、‘ＮＤ’と略記する)非対応電話機であることを検出するホームゲートウェイ（Home  Gateway：以下、‘ＨＧＷ’と略記する）装置に関するものであり、該電話機に対してＮＤ情報受信端末起動信号(ＣＡＲ信号)を送信して、ＮＤ通知用呼び出し音を鳴動させた場合に、あるいは、ＮＤ通知用呼び出し音の鳴動によりユーザがOff  Hook操作を行って、ＮＤ通知用のモデム信号を送信した場合に、該電話機からの前記ＣＡＲ信号に対する応答あるいは前記モデム信号に対する応答の有無を監視した結果により、ＮＤ非対応電話機であることを検出し、該電話機をＮＤ非対応電話機からＮＤ対応電話機へ切り替えることを促すアナウンスを該電話機のユーザに通知することを、主要な特徴としている。而して、ＣＡＲ信号によるＮＤ通知用呼び出し音（ＣＡＲ）の誤鳴動が要因となって、以降、ＮＤ非対応電話機が通話を行うことができなくなる事態を未然に防止することができる。
【００２４】
さらに説明すると、前述したように、本発明は、ＮＤ契約済みであるにも関わらず、ＮＤ非対応電話機を使用していることを検知して、当該ＮＤ非対応電話機のユーザに対してＮＤ対応電話機への切替えを促す機能を有している。而して、ＮＤ契約済みであるにも関わらず、ＮＤ非対応電話機を使用していることが、ＣＡＲ信号によるＮＤ通知用呼び出し音（ＣＡＲ）の誤鳴動の原因があることを、ＮＤ非対応電話機のユーザに対して通知し、ＮＤ非対応電話機をＮＤ対応電話機に切り替えさせ、以降、ＣＡＲ信号によるＮＤ通知用呼び出し音（ＣＡＲ）の誤鳴動を防止することができる。
【００２５】
また、本発明においては、ＮＤ未契約であるにも関わらず、ＮＤ対応電話機を使用していることを検知して、ユーザに対して、ＮＤ契約への更新を促すかあるいはＮＤ非対応電話機への切り替えを促すアナウンスを送信することによって、ＮＤ契約の見直し、あるいは、使用している電話機の見直しに関する早期の対応を行ってもらう契機を与えることも、主要な特徴の一つとしている。さらには、本発明においては、前記特許文献１の技術とは異なり、電話機の電話回線が物理的な接続を検出する電話機検出手段を備えて、電話機の電話回線が物理的に接続された際に該電話機がＮＤ対応かＮＤ非対応かを判定することを可能にして、電話機への初回の電話着信時であっても、ＣＡＲ信号によるＮＤ通知用呼び出し音（ＣＡＲ）の誤鳴動を防止することができることも、主要な特徴の一つとしている。
【００２６】
＜本発明の第１の実施形態＞
次に、本発明の第１の実施形態について図面を参照しながら詳細に説明する。
【００２７】
（本発明の第１の実施形態の構成例）
まず、本発明の第１の実施形態に係るホームゲートウェイ装置（以下、‘ＨＧＷ装置’と略記する）の構成例について、図１を参照しながら詳細に説明する。図１は、本発明の第１の実施形態に係るＨＧＷ装置の内部構成の一例を示す装置構成図である。ここで、図１に示すＨＧＷ装置１は、前記特許文献１の場合と同様、電話網２と電話機３との間に介在して、電話機３の通信に関する制御を行う装置であり、接続している電話機３に対するゲートウェイ機能を有しているのみならず、接続している電話機３がＮＤ（ナンバディスプレイ）非対応の電話機であるか否かを検出し、検出結果に応じて適切な動作を行うＮＤ対応検出機能も有している。なお、電話網２は、ＨＧＷ装置１の他に、ＳＩＰ（Session  Initiation  Protocol）サーバまたは交換機が接続されたネットワークであり、また、電話機３は、ＨＧＷ装置１を介して通信を行うユーザ４が使用する電話機である。
【００２８】
図１に示すＨＧＷ装置１は、記憶部１１、制御部１２、電話網インタフェース部１３、電話機インタフェース部１４を少なくとも備えて構成され、記憶部１１は内部にＮＤ対応電話機情報保存部１１１を少なくとも備え、制御部１２は内部に電話網制御部１２１、記憶部制御部１２２、電話機制御部１２３、ＮＤ対応検出部１２４、通知部１２５を少なくとも備えている。
【００２９】
電話網インタフェース部１３は、電話網２との物理的インタフェースであり、電話機インタフェース部１４ は、電話機３との物理的インタフェースである。また、記憶部１１は、ＨＧＷ装置１内で扱うデータ全般を保持する機能を有し、接続された電話機３がＮＤ対応の電話機であるか否かを示す情報を保存するＮＤ対応電話機情報保存部１１１も内部に備えている。
【００３０】
また、制御部１２は、ＨＧＷ装置１全体の制御を行う機能を有し、内部に備えている電話網制御部１２１は、電話網２との通信制御、電話網２からのＣＡＲ信号の検出等を行う機能を有し、記憶部制御部１２２は、記憶部１１の例えばＮＤ対応電話機情報保存部１１１に対する書き込み、読み出し動作を制御する機能を有し、電話機制御部１２３は、接続された電話機３へのＣＡＲ信号やモデム信号やアナウンス音声の送信、接続された電話機３からの信号（例えば、ＣＡＲ信号に対する一次応答信号やモデム信号に対する受信完了信号）の検出、発信、着信、保留、切断等の電話機制御、電話番号検出等の制御を行う機能を有している。
【００３１】
また、制御部１２の内部に備えているＮＤ対応検出部１２４は、接続されている電話機３が、ＮＤ対応の電話機であるかＮＤ非対応の電話機であるかを検出する機能を有している。また、制御部１２の内部に備えている通知部１２５は、接続されている電話機３のユーザに対して何等かの対応を促すためのアナウンスを送信する機能を有し、例えば、接続されている電話機３が、ＮＤ契約済みの電話機であるにも関わらず、当該電話機３がＮＤ非対応の電話機であることをＮＤ対応検出部１２４が検出した場合、当該電話機３に対して、ＮＤ対応電話機に交換することを促すアナウンスを送信する機能を有している。
【００３２】
なお、記憶部１１の内部に備えているＮＤ対応電話機情報保存部１１１は、制御部１２のＮＤ対応検出部１２４が検出した検出結果を保存する機能を有し、前述したように、接続されている電話機３がＮＤ対応電話機かまたはＮＤ非対応電話機かを示す情報を保存している。
【００３３】
（本発明の第１の実施形態の動作の説明）
次に、本発明の第１の実施形態として図１に示したＨＧＷ装置１の動作について図面を参照しながら詳細に説明する。まず、本発明の第１の実施形態として図１に示したＨＧＷ装置１における動作の概要について、その一例を、図２を参照して説明する。図２は、本発明の第１の実施形態として図１に示したＨＧＷ装置１の動作の概要を説明するためのシーケンスチャートであり、図１に示したＨＧＷ装置１と電話機３との間の信号の流れと、ＨＧＷ装置１における動作と、を説明している。
【００３４】
図２（Ａ）に示すシーケンスチャートは、現状の技術の一例として説明するために記載した図１０の場合と同様、図１に示したＨＧＷ装置１が、ＮＤ情報受信端末起動信号(ＣＡＲ信号)の送信から受信完了信号の受信までの間に、電話機３との間で送受信する信号の流れを示している。つまり、図１に示したＨＧＷ装置１が、制御部１２の電話機制御部１２３の制御により、電話機インタフェース部１４を介して、ＮＤシーケンスを開始するためのＮＤ情報受信端末起動信号(ＣＡＲ信号)を電話機３に送信した後（シーケンスＳｅｑ１）、一次応答監視時間としてあらかじめ定めた一定時間以内に、該電話機３からOff  Hook信号を一次応答信号として受信したか否かを監視する。
【００３５】
ＨＧＷ装置１が、該一次応答信号を受信すると（シーケンスＳｅｑ２）、次に、制御部１２の電話機制御部１２３の制御により、電話機インタフェース部１４を介して、発信者情報等を含むＮＤ情報をモデム信号として送信する（シーケンスＳｅｑ３）。そして、制限時間としてあらかじめ定めた一定時間（図１０の場合は７秒）以内に、該電話機３からOn  Hook信号を受信完了信号として受信したか否かを監視する。
【００３６】
ここで、接続された電話機３から一次応答信号あるいは受信完了信号のいずれかの信号を設定した一定時間（一次応答監視時間あるいは制限時間）以内に受信しなかった場合には、ＨＧＷ装置１は、制御部１２のＮＤ対応検出部１２４において、当該電話機３がＮＤ機能には対応していないＮＤ非対応電話機であると判断して、記憶部制御部１２２の制御により、当該電話機３がＮＤ非対応電話機である旨を、記憶部１１のＮＤ対応電話機情報保存部１１１に保存する。
【００３７】
しかる後、図１０の場合とは異なり、図２（Ｂ）に示すように、ＨＧＷ装置１は、制御部１２の通知部１２５の制御により、電話機インタフェース部１４を介して、該電話機３に対して、当該電話機３をＮＤ対応電話機にリプレースして接続し直すことをユーザに促すためのアナウンスを送信する（シーケンスＳｅｑ５）。
【００３８】
かくのごとく、図１に示したＨＧＷ装置１は、接続された電話機３に関して、ＮＤ非対応電話機の検出とＮＤ対応電話機への切り替えを促すアナウンスとを行うことにより、該電話機３のユーザが、接続する電話機３をＮＤ非対応電話機からＮＤ対応電話機に変更する動機付けを行うことができる。
【００３９】
而して、ＣＡＲ信号によるＮＤ通知用呼び出し音（ＣＡＲ）の誤鳴動を防止することができる。あるいは、前記アナウンスとして、当該電話機３に関するＮＤ契約を行っていた契約者（電話機３のユーザの場合が多い）に対しても、当該電話機３がＮＤ契約済みになっていることを通知していることになるので、契約の見直しを促すことも可能になる。
【００４０】
次に、図２のシーケンスチャートに示したＨＧＷ装置１における動作の概要に関して、図３のフローチャートを参照してさらに説明する。図３は、本発明の第１の実施形態として図１に示したＨＧＷ装置の動作の流れの概要を示すフローチャートであり、図２に示したＨＧＷ装置１の動作の概要において説明した電話機３からの各信号の監視結果に対するＨＧＷ装置１の動作に着目して示している。
【００４１】
図３のフローチャートにおいて、ＨＧＷ装置１は、まず、送信したＣＡＲ信号に対する一次応答信号を、一次応答監視時間としてあらかじめ定めた一定時間以内に電話機３から受信したか否かを確認する（ステップＳ１）。該一次応答信号を受信した場合には（ステップＳ１の‘有’の場合）、次に送信したモデム信号に対する受信完了信号を制限時間としてあらかじめ定めた一定時間以内に受信したか否かを確認する（ステップＳ２）。該受信完了信号を受信した場合には（ステップＳ２の‘有’の場合）、ＮＤ動作を正常に実施することができたので、制御部１２のＮＤ対応検出部１２４は、当該電話機３がＮＤ対応電話機であると判断して、記憶部１１のＮＤ対応電話機情報保存部１１１に当該電話機３がＮＤ対応電話機である旨を記録する（ステップＳ３）。
【００４２】
これに対して、前記制限時間以内に前記受信完了信号を受信することができなかった場合には（ステップＳ２の‘無（タイムアウト）’の場合）、ＮＤシーケンスを正常に実施することができなかったので、制御部１２のＮＤ対応検出部１２４は、当該電話機３がＮＤ非対応電話機であると判断して、記憶部１１のＮＤ対応電話機情報保存部１１１に当該電話機３がＮＤ非対応電話機である旨を記録する。また、かかる場合には、当該電話機３は通話することもできない状態であるので、通常の通話シーケンスへの移行を行うこともなく、直ちに、ＮＤ対応電話機へのリプレースを促すアナウンスを当該電話機３に対して送出する動作を行う（ステップＳ４）。
【００４３】
また、ステップＳ１において、前記一次応答監視時間以内に前記一次応答信号を受信することができなかった場合においても（ステップＳ１の無（タイムアウト）’の場合）、ＮＤシーケンスを正常に実施することができなかったので、制御部１２のＮＤ対応検出部１２４は、当該電話機３がＮＤ非対応電話機であると判断して、記憶部１１のＮＤ対応電話機情報保存部１１１に当該電話機３がＮＤ非対応電話機である旨を記録する。ただし、かかる場合には、該電話機３は通話することができる可能性があるので、ＮＤシーケンスを終了して、当該電話機３に対して通常の電話着信用呼び出し信号（ＩＲ信号）を送信し、発信相手との通話シーケンスに進む。そして、通話終了後に、ＮＤシーケンスに戻って、ＮＤ対応電話機へのリプレースを促すアナウンスを当該電話機３に対して送出する（ステップＳ５）。
【００４４】
なお、ステップＳ１、ステップＳ２からステップＳ４に至る場合のＨＧＷ装置１と電話機３との間の信号のやり取りに関する詳細な動作シーケンスについては、後述する図４の説明において、また、ステップＳ１からステップＳ５に至る場合のＨＧＷ装置１と電話機３との間の信号のやり取りに関する詳細な動作シーケンスについては、後述する図５の説明において、さらに詳細に説明する。
【００４５】
次に、図３のフローチャートのステップＳ４の動作を実施するまでの詳細な動作シーケンスについて、図４のシーケンスチャートを参照しながらさらに説明する。ここで、図３のフローチャートのステップＳ４は、前述したように、ＨＧＷ装置１において、送信したモデム信号に対する電話機３からの受信完了信号を前記制限時間以内に受信することができなかった場合の動作を行っている。
【００４６】
図４は、本発明の第１の実施形態として図１に示したＨＧＷ装置１において電話機３からの受信完了信号をあらかじめ定めた制限時間以内に受信することができなかった場合のＨＧＷ装置１と電話機３（ＮＤ非対応電話機）との間の信号のやり取りの一例を示すシーケンスチャートである。なお、前記受信完了信号を前記制限時間以内に受信することができなかった場合においては、図３のフローチャートにおいて説明したように、電話機３は、ＮＤ非対応電話機と判定されることになるので、図４には、該電話機３をＮＤ非対応電話機と表現して示している。
【００４７】
図４のシーケンスチャートにおいて、ＨＧＷ装置１は、まず、電話網２から電話網インタフェース部１３を介して、電話回線Ｌ１、Ｌ２の極性反転と、ＣＡＲ信号（情報受信端末起動信号）とを受信すると、制御部１２の電話機制御部１２３の制御により、電話機インタフェース部１４と電話機３との間の電話回線Ｌ１、Ｌ２の極性を反転させ（シーケンスＳｅｑ１１）、さらに、あらかじめ定めた時間（例えば０．１秒以上）経過後に、ＣＡＲ信号（ＮＤ情報受信端末起動信号）を電話機３に対して送信する（シーケンスＳｅｑ１２）。そして、ＨＧＷ装置１は、電話回線Ｌ１、Ｌ２の極性反転後から一次応答監視時間としてあらかじめ定めた時間（例えば６秒）が経過するまでの間に、電話機３から一次応答信号を受信することができたか否かを監視する状態に移行する。
【００４８】
一方、電話機３（ＮＤ非対応電話機）においては、ＨＧＷ装置１による電話回線Ｌ１、Ｌ２の極性反転の後にＨＧＷ装置１から送信されてきたＣＡＲ信号を受信すると、該ＣＡＲ信号によるＮＤ通知用呼び出し音（ＣＡＲ）の鳴動が始まる。該ＮＤ通知用呼び出し音（ＣＡＲ）の鳴動に気付いた電話機３のユーザ４が、電話機３の送受話器を持ち上げると、Off  Hook信号がＣＡＲ信号に対する一次応答信号として電話機３からＨＧＷ装置１に送信される（シーケンスＳｅｑ１３）。
【００４９】
前記一次応答監視時間が経過するまでの間に電話機３からの一次応答信号（Off  Hook信号）が受信されると、ＨＧＷ装置１は、少しの準備時間（０１〜３秒）の後に、制御部１２の電話機制御部１２３の制御により、発信者情報等を少なくとも含むナンバディスプレイ用のＮＤ情報をモデム信号として、電話機３に送信する（シーケンスＳｅｑ１４）。そして、ＨＧＷ装置１は、モデム信号送信からの制限時間としてあらかじめ定めた一定時間（例えば７秒）が経過するまでの間に、電話機３から受信完了信号を受信することができたか否かを監視する状態に移行する。
【００５０】
電話機３（ＮＤ非対応電話機）は、ＨＧＷ装置１からの該モデム信号を受信すると、当該電話機３のユーザ４は、Off  Hook状態の送受話器を介して、該モデム信号によるＮＤ用の情報が出力されてくることを一応聴くことができる。しかし、電話機３がＮＤ非対応の電話機であるため、ユーザ４は、該ＮＤ用の情報の意味することが判らないので、何が生じているのかを理解することができなく、送受話器をOn  Hook状態に戻す操作を行うこともなく、Off  Hook状態のまま放置する可能性がある。その結果、電話機３からOn  Hook信号が受信完了信号として、ＨＧＷ装置１に送信されない場合には、ＨＧＷ装置１において前記制限時間がタイムアウトしてしまう（シーケンスＳｅｑ１５）。
【００５１】
その結果、ＨＧＷ装置１は、前記受信完了信号を前記制限時間以内に電話機３から受信することができなかった場合として、図３のステップＳ４において説明したように、制御部１２のＮＤ対応検出部１２４は、当該電話機３がＮＤ非対応電話機であると判断して、制御部１２の記憶部制御部１２２の制御により、記憶部１１のＮＤ対応電話機情報保存部１１１に当該電話機３がＮＤ非対応電話機である旨を記録する。
【００５２】
さらに、図３のステップＳ４において説明したように、かかる場合は、当該電話機３は通話することもできない状態であるので、ＨＧＷ装置１は、通常の通話シーケンスへの移行を行うこともなく、制御部１２の通知部１２５の制御により、直ちに、ＮＤ対応電話機へのリプレースを促すアナウンスを当該電話機３に対して送信する（シーケンスＳｅｑ１６）。ＨＧＷ装置１からの該アナウンスを受信して、該アナウンスを音声として聴取した電話機３のユーザ４は、送受話器を元の位置に戻してOn  Hook状態にすると、On  Hook信号が切断信号として、電話機３からＨＧＷ装置１に対して送信される（シーケンスＳｅｑ１７）。その結果、ＨＧＷ装置１と電話機３との接続が開放され、ＮＤシーケンスが終了する。
【００５３】
なお、以降においては、当該電話機３は記憶部１１のＮＤ対応電話機情報保存部１１１にＮＤ非対応電話機として記録されているので、ＨＧＷ装置１は電話網２から当該電話機３向けのＣＡＲ信号を受信しても、当該電話機３に対してＣＡＲ信号を送信する動作を抑止するように制御することになる。
【００５４】
次に、図３のフローチャートのステップＳ５の動作を実施するまでの詳細な動作シーケンスについて、図５のシーケンスチャートを参照しながらさらに説明する。ここで、図３のフローチャートのステップＳ５は、前述したように、ＨＧＷ装置１において、送信したＣＡＲ信号に対する電話機３からの一次応答信号を前記一次応答監視時間以内に受信することができなかった場合の動作を行っている。
【００５５】
図５は、本発明の第１の実施形態として図１に示したＨＧＷ装置１において電話機３からの一次応答信号をあらかじめ定めた一次応答監視時間以内に受信することができなかった場合のＨＧＷ装置１と電話機３（ＮＤ非対応電話機）との間の信号のやり取りの一例を示すシーケンスチャートである。なお、前記一次応答信号を前記一次応答監視時間以内に受信することができなかった場合においては、図３のフローチャートにおいて説明したように、電話機３は、ＮＤ非対応電話機と判定されることになるので、図５には、図４の場合と同様、該電話機３をＮＤ非対応電話機と表現して示している。
【００５６】
図５のシーケンスチャートにおいて、ＨＧＷ装置１は、図４の場合と同様、まず、電話網２から電話網インタフェース部１３を介して、電話回線Ｌ１、Ｌ２の極性反転、および、ＣＡＲ信号（情報受信端末起動信号）を受信すると、制御部１２の電話機制御部１２３の制御により、まず、電話機インタフェース部１４と電話機３との間の電話回線Ｌ１、Ｌ２の極性を反転させ（シーケンスＳｅｑ２１）、さらに、あらかじめ定めた時間（例えば０．１秒以上）経過後に、ＣＡＲ信号（情報受信端末起動信号）を電話機３に対して送信する（シーケンスＳｅｑ２２）。そして、ＨＧＷ装置１は、電話回線Ｌ１、Ｌ２の極性反転後から一次応答監視時間としてあらかじめ定めた一定時間（例えば６秒）が経過するまでの間に、電話機３から一次応答信号を受信することができたか否かを監視する状態に移行する。
【００５７】
一方、電話機３（ＮＤ非対応電話機）においては、ＨＧＷ装置１による電話回線Ｌ１、Ｌ２の極性反転の後にＨＧＷ装置１から送信されてきたＣＡＲ信号を受信すると、該ＣＡＲ信号によるＮＤ通知用呼び出し音（ＣＡＲ）の鳴動が始まる。しかし、図４の場合とは異なり、電話機３のユーザ４が、該ＮＤ通知用呼び出し音（ＣＡＲ）の鳴動に気付かないか、または、気付いたとしても操作不要の呼び出し音と判断して、電話機３の送受話器を持ち上げる操作を行わない状態が発生すると、ＣＡＲ信号に対する一次応答信号（Off  Hook信号）が電話機３からＨＧＷ装置１に送信されない（シーケンスＳｅｑ２３）。したがって、ＨＧＷ装置１は、前記一次応答監視時間以内にＣＡＲ信号に対する一次応答信号を受信することがなく、該一次応答監視時間のタイムアウトが発生する。
【００５８】
その結果、ＨＧＷ装置１においては、図３のステップＳ５において説明したように、制御部１２のＮＤ対応検出部１２４が、当該電話機３はＮＤ非対応電話機であると判断して、制御部１２の記憶部制御部１２２の制御により、記憶部１１のＮＤ対応電話機情報保存部１１１に当該電話機３がＮＤ非対応電話機である旨を記録する。ただし、図３のステップＳ５において説明したように、かかる場合には、当該電話機３は通話することができる可能性があるので、ＨＧＷ装置１は、発信相手との通話シーケンスに進むために、ＮＤシーケンスを一旦終了して、制御部１２の電話機制御部１２３の制御により、当該電話機３に対して通常の電話着信用呼び出し信号（ＩＲ信号）を送信する（シーケンスＳｅｑ２５）。
【００５９】
電話機３（ＮＤ非対応電話機）は、ＨＧＷ装置１から送信されてきた通常の電話着信用呼び出し信号（ＩＲ信号）を受信すると、該ＩＲ信号による電話着信用呼び出し音（ＩＲ）の鳴動が始まる。該電話着信用呼び出し音（ＩＲ）の鳴動に気付いた電話機３のユーザ４が、電話機３の送受話器を持ち上げると、Off  Hook信号が電話着信用呼び出し信号（ＩＲ信号）に対する二次応答信号として電話機３からＨＧＷ装置１に送信される（シーケンスＳｅｑ２６）。
【００６０】
電話着信用呼び出し信号（ＩＲ信号）に対する二次応答信号として、Off  Hook信号を電話機３から受信すると、ＨＧＷ装置１は、通常の通話状態に移行させるために、制御部１２の電話機制御部１２３の制御により、電話機インタフェース部１４と電話機３との間の電話回線Ｌ１、Ｌ２の極性を復極させる（シーケンスＳｅｑ２７）。さらに、ＨＧＷ装置１は、制御部１２の電話網制御部１２１の制御により、電話網インタフェース部１３を介して電話網２との電話回線Ｌ１、Ｌ２の極性も復極させることにより、発信元に対して応答信号を送信する。その結果、電話機３とＨＧＷ装置１との間は、通信中の状態に移行して、電話機３と発信元との間は通信中の状態（通話状態）に移行する（シーケンスＳｅｑ２８）。
【００６１】
なお、電話機３において、該電話着信用呼び出し音（ＩＲ）の鳴動に対しても、電話機３のユーザ４が、電話機３の送受話器を持ち上げるOff  Hook操作が行われない場合には、ＨＧＷ装置１に対してOff  Hook信号を二次応答信号として送信してこない。したがって、かかる場合には、ＨＧＷ装置１は、電話機３のユーザ４が電話機３の傍にいない状態にあると判断して、現状の通常の手順に従って、電話機３に対して切断信号を送信して、電話機３との間の接続を切断して、呼び出しシーケンスを終了させる。
【００６２】
電話機３と発信元との間が通話状態に移行した後、通話が終了して、電話機３から終話信号としてOn  Hook信号を受信すると（シーケンスＳｅｑ２９）、ＨＧＷ装置１は、通話シーケンスを終了させた後、ＮＤ非対応電話機に関するアナウンスを、当該電話機３のユーザ４に対して通知するために、ＮＤシーケンスに復帰して、制御部１２の電話機制御部１２３の制御により、再度、当該電話機３に対して通常の電話着信用呼び出し信号（ＩＲ信号）を送信する（シーケンスＳｅｑ３０）。
【００６３】
電話機３（ＮＤ非対応電話機）は、ＨＧＷ装置１から送信されてきた該電話着信用呼び出し信号（ＩＲ信号）を受信すると、電話機３が鳴動するので、該ＩＲ信号による電話着信用呼び出し音（ＩＲ）の鳴動に気付いた電話機３のユーザ４が、電話機３の送受話器を持ち上げると、Off  Hook信号がＨＧＷ装置１に送信される（シーケンスＳｅｑ３１）。
【００６４】
電話機３からのOff  Hook信号を受信したＨＧＷ装置１は、制御部１２の通知部１２５の制御により、ＮＤ対応電話機へのリプレースを促すアナウンスを当該電話機３に対して送信する（シーケンスＳｅｑ３２）。ＨＧＷ装置１からの該アナウンスを受信して、該アナウンスを音声として聴取した電話機３のユーザ４は、送受話器を元の位置に戻してOn  Hook状態にすると、On  Hook信号が切断信号として、ＨＧＷ装置１に対して送信されてくる（シーケンスＳｅｑ３３）。その結果、ＮＤシーケンスが終了する。
【００６５】
（第１の実施形態の効果の説明）
以上に詳細に説明したように、本第１の実施形態においては、以下のような効果を奏することができる。
【００６６】
第１に、電話機３のユーザ４が、ＮＤ契約済みにも関わらずＮＤ非対応電話機を使用している場合、ＨＧＷ装置１において、かかる事態を検出して、当該ユーザ４に対して、電話機３をＮＤ対応電話機にリプレースすることを促すアナウンスを送出するので、当該電話機３のユーザ４は、電話機３の誤鳴動の原因を理解することができるとともに、当該ユーザ４が電話機３をＮＤ対応電話機に交換した時点で、ＣＡＲ信号（ＮＤ情報受信端末起動信号）によるＮＤ通知用呼び出し音（ＣＡＲ）の誤鳴動を防止することが可能になる。また、該アナウンスを送出することにより、当該ユーザ４にＮＤ契約内容を見直す契機を与えることもできる。さらに、当然のことながら、電話機３をＮＤ対応電話機に交換すれば、ユーザ４はＮＤサービスを活用することもできる。
【００６７】
第２に、ＨＧＷ装置１において電話網２から電話機３向けに送信されてくるＣＡＲ信号を検出することによって、電話機３がＮＤ契約済みの電話機か否かを判定し、かつ、ＨＧＷ装置１において、送信したＣＡＲ信号およびモデム信号に対する電話機３からの応答信号の有無に基づいて電話機３がＮＤ非対応電話機であることを判定しているので、電話機３の誤鳴動の原因が、ＣＡＲ信号に関係するものか否かを確実に切り分けることができる。
【００６８】
＜本発明の第２の実施形態＞
次に、本発明の第２の実施形態について図面を参照しながら詳細に説明する。本第２の実施形態においては、ＨＧＷ装置は、電話機の電話回線がＨＧＷ装置に物理的に接続されたことを検出する手段を備え、物理的に接続されたタイミングで、接続された当該電話機がＮＤ非対応電話機であるか否かを判定して、ＮＤ非対応電話機であった場合には、ＣＡＲ信号の送信を禁止して、当該電話機の誤鳴動を防止するように動作する。
【００６９】
したがって、本第２の実施形態においては、電話機がＮＤ契約済みの旨が登録されているにも関わらず、ＨＧＷ装置に接続された電話機が、ＮＤ非対応の電話機であった場合には、ＨＧＷ装置が、当該電話機に対する電話網からの初めて電話着信があって、ＮＤ情報端末受信起動信号（ＣＡＲ信号）を受信したとしても、ＮＤシーケンスを行う動作を禁止することができ、当該電話機に対するＣＡＲ信号による誤鳴動を初回着信時から確実に防止することができる。
【００７０】
（本発明の第２の実施形態の構成例）
まず、本発明の第２の実施形態に係るホームゲートウェイ装置（ＨＧＷ装置）の構成例を、図６を参照して説明する。図６は、本発明の第２の実施形態に係るＨＧＷ装置の内部構成の一例を示す装置構成図である。図６に示したＨＧＷ装置１Ａは、第１の実施形態として図１に示したＨＧＷ装置１と同様、電話網２と電話機３との間に介在して、通信に関する制御を行う装置であり、接続している電話機３に対するゲートウェイ機能を有しているのみならず、接続している電話機３がＮＤ（ナンバディスプレイ）非対応の電話機であるか否かを検出し、検出結果に応じて適切な動作を行うＮＤ非対応電話機検出装置としての機能も有している。
【００７１】
ここで、図６に示したＨＧＷ装置１Ａは、ほとんどの回路ブロックが、図１のＨＧＷ装置１と全く同じであり、図１の場合と同じ符号で示しているが、制御部１２Ａだけが、図１のＨＧＷ装置１の制御部１２とは異なっている。すなわち、図６に示すように、制御部１２Ａは、図１の制御部１２に対して、電話機検出部１２６をさらに内部に追加した構成としている。電話機検出部１２６は、電話機３の電話回線が当該ＨＧＷ装置１Ａの電話機インタフェース部１４に物理的に接続されたタイミングで直ちに該電話機３を検出する機能を有している。
【００７２】
（本発明の第２の実施形態の動作の説明）
次に、本発明の第２の実施形態として図６に示したＨＧＷ装置１Ａの動作について図７を参照しながら詳細に説明する。図７は、本発明の第２の実施形態として図６に示したＨＧＷ装置１Ａの動作の概要を説明するためのシーケンスチャートであり、ＨＧＷ装置１Ａと電話機３との間の信号の流れと、ＨＧＷ装置１Ａにおける動作と、を説明している。なお、図７においては、ＨＧＷ装置１Ａに接続された電話機３は、ＮＤ非対応電話機であった場合の動作例を説明するために、電話機３をＮＤ非対応電話機と表現している。
【００７３】
図７のシーケンスチャートにおいて、ＨＧＷ装置１Ａは、制御部１２Ａの電話機検出部１２６が、電話機インタフェース部１４に電話機３の電話回線が物理的に接続されたことを検出すると（シーケンスＳｅｑ４１）、制御部１２Ａの電話機制御部１２３の制御により、電話機インタフェース部１４と電話機３との間の電話回線Ｌ１、Ｌ２の極性を反転させ（シーケンスＳｅｑ４２）、さらに、あらかじめ定めた一定時間経過後に、通常の電話着信用呼び出し信号（ＩＲ信号）を電話機３に対して送信する（シーケンスＳｅｑ４３）。ここで、該電話着信用呼び出し信号（ＩＲ信号）の送信動作は、電話機３からOff  Hook信号を受け取るまで継続する。
【００７４】
電話機３（ＮＤ非対応電話機）は、ＨＧＷ装置１Ａから送信されてきた通常の電話着信用呼び出し信号（ＩＲ信号）を受信すると、該ＩＲ信号による電話着信用呼び出し音（ＩＲ）の鳴動が始まる。該電話着信用呼び出し音（ＩＲ）の鳴動に気付いた電話機３のユーザ４が、電話機３の送受話器を持ち上げると、Off  Hook信号が電話着信用呼び出し信号（ＩＲ信号）に対する応答信号として電話機３からＨＧＷ装置１Ａに送信される（シーケンスＳｅｑ４４）。
【００７５】
電話着信用呼び出し信号（ＩＲ信号）に対する応答信号として、Off  Hook信号を電話機３から受信すると、ＨＧＷ装置１Ａは、当該電話機３がＮＤ対応電話機であるか否かを判定するために、制御部１２Ａの電話機制御部１２３の制御により、電話機３がＮＤ非対応電話機であった場合には次に発生する電話機３の鳴動に対して送受話器を持ち上げるOff  Hook操作をしないように促すアナウンスを、電話機３からOn  Hook信号を受信するまで、繰り返し送信し続ける（シーケンスＳｅｑ４５）。
【００７６】
電話機３側において、ＨＧＷ装置１Ａからの該アナウンスを受信して、該アナウンスを音声として聴取した電話機３のユーザ４は、送受話器を元の位置に戻してOn  Hook状態にすると、On  Hook信号が切断信号として、ＨＧＷ装置１Ａに対して送信される（シーケンスＳｅｑ４６）。
【００７７】
ＨＧＷ装置１Ａは、電話機３からのOn  Hook信号を受信すると、制御部１２Ａの電話機制御部１２３の制御により、電話機インタフェース部１４と電話機３との間の電話回線Ｌ１、Ｌ２の極性を復極させて、切断状態に移行させた後（シーケンスＳｅｑ４７）、再度、電話回線Ｌ１、Ｌ２の極性を反転させる（シーケンスＳｅｑ４８）。
【００７８】
さらに、あらかじめ定めた時間（例えば０．１秒以上）経過後に、ＨＧＷ装置１Ａは、制御部１２Ａの電話機制御部１２３の制御により、ＣＡＲ信号（ＮＤ情報受信端末起動信号）を電話機３に対して送信する（シーケンスＳｅｑ４９）。そして、ＨＧＷ装置１は、ＣＡＲ信号の送信時点から一次応答監視時間としてあらかじめ定めた一定時間（例えば７秒）が経過するまでの間に、電話機３から一次応答信号としてOff  Hook信号を受信したか否かを監視する状態に移行する。
【００７９】
一方、電話機３（ＮＤ非対応電話機）は、ＨＧＷ装置１Ａによる電話回線Ｌ１、Ｌ２の極性復極、極性反転の後に、送信されてきたＣＡＲ信号を受信すると、該ＣＡＲ信号によるＮＤ通知用呼び出し音（ＣＡＲ）の鳴動が始まる。しかし、電話機３のユーザ４は、シーケンスＳｅｑ４５において前記アナウンスを前以て聴いているので、当該電話機３がＮＤ非対応電話機であった場合には、該ＮＤ通知用呼び出し音（ＣＡＲ）の鳴動に対して、電話機３の送受話器を持ち上げるOff  Hook操作を行わない。
【００８０】
したがって、電話機３からは、ＣＡＲ信号に対する一次応答信号としてOff  Hook信号がＨＧＷ装置１Ａに対して送信されることはない（シーケンスＳｅｑ５０）。この結果、ＨＧＷ装置１Ａは、前記一次応答監視時間以内にＣＡＲ信号に対する一次応答信号を受信することがなく、該一次応答監視時間のタイムアウトが発生する。
【００８１】
而して、ＨＧＷ装置１Ａは、図３のステップＳ５において説明したように、制御部１２ＡのＮＤ対応検出部１２４において、当該電話機３はＮＤ非対応電話機であると判断して、制御部１２Ａの記憶部制御部１２２の制御により、記憶部１１のＮＤ対応電話機情報保存部１１１に当該電話機３がＮＤ非対応電話機である旨を記録して、以降、電話網２から当該電話機３に対するＣＡＲ信号を受信しても、ＣＡＲ信号を当該電話機３側には送信しないように動作することになる。
【００８２】
＜本発明の第３の実施形態＞
次に、本発明の第３の実施形態について図面を参照しながら詳細に説明する。本第３の実施形態においては、ＨＧＷ装置が、第２の実施形態の場合と同様、電話機の電話回線の物理的な接続を検出する手段を備え、電話機の電話回線が物理的に接続されたタイミングで、接続された当該電話機が、第２の実施形態の場合とは異なり、ＮＤ非対応電話機ではなく、ＮＤ対応電話機であることを検出して、記憶部のＮＤ対応電話機情報保存部にその旨を保存したにも関わらず、当該電話機がＮＤ未契約であった場合の動作を扱っている。
【００８３】
つまり、電話網から該電話機に着信した際に、当該電話機がＮＤ対応電話機である旨をＮＤ対応電話機情報保存部に保存しているＨＧＷ装置は、電話網からＮＤシーケンスに関する信号が送信されてくることを期待しているにも関わらず、当該電話機がＮＤ未契約であるので、電話網からは、ＮＤシーケンスを行うことなく、電話着信用呼び出し信号（ＩＲ信号）を受信した場合を示している。このため、かかる事態が発生した場合には、本第３の実施形態においては、ＨＧＷ装置は、当該電話機に対して、ＮＤ契約を行うことを促すアナウンスを送信して、当該電話機のユーザにＮＤ契約を行う契機を与えるように動作する場合を示している。
【００８４】
（本発明の第３の実施形態の構成例）
まず、本発明の第３の実施形態に係るホームゲートウェイ装置（ＨＧＷ装置）の構成例を、図８を参照して説明する。図８は、本発明の第３の実施形態に係るＨＧＷ装置の内部構成の一例を示す装置構成図である。図８に示したＨＧＷ装置１Ｂは、第１、第２の実施形態として図１、図６に示したＨＧＷ装置１、１Ａと同様、電話網２と電話機３との間に介在して、通信に関する制御を行う装置であり、接続している電話機３に対するゲートウェイ機能を有しているのみならず、接続している電話機３がＮＤ（ナンバディスプレイ）非対応電話機であるかＮＤ対応電話機であるかを検出し、検出結果に応じて適切な動作を行う機能も有している。
【００８５】
ここで、図８に示したＨＧＷ装置１Ｂは、ほとんどの回路ブロックが、第２の実施形態として図６に示したＨＧＷ装置１Ａと全く同じであり、図６の場合と同じ符号で示しているが、制御部１２Ｂと記憶部１１Ｂとが、図６のＨＧＷ装置１Ａの制御部１２Ａと記憶部１１とは異なっている。すなわち、図８に示すように、制御部１２Ｂは、図６の制御部１２Ａに対して、ＮＤ契約判定部１２７をさらに内部に追加した構成であり、また、記憶部１１Ｂは、図６の記憶部１１に対して、ＮＤ契約情報保存部１１２をさらに内部に追加した構成としている。
【００８６】
ＮＤ契約判定部１２７は、電話網２から電話機３への電話着信時に、ＮＤ情報受信端末起動信号（ＣＡＲ信号）を受信するか、あるいは、電話着信用呼び出し信号（ＩＲ信号）を受信するか、のいずれであるかに基づいて、電話機３がＮＤ契約済みの電話機であるか、あるいは、ＮＤ未契約の電話機であるかを判定する機能を有し、ＮＤ契約情報保存部１１２は、ＮＤ契約判定部１２７による判定結果を保存する機能、すなわち、電話機３のＮＤ契約に関する情報を保存する機能を有している。
【００８７】
なお、ここでは、制御部１２Ｂが、図６の制御部１２ＡにＮＤ契約判定部１２７をさらに追加した場合について説明するが、場合によっては、電話機検出部１２６を備えていない第１の実施形態の図１に示す制御部１２にＮＤ契約判定部１２７をさらに追加するような構成であっても構わない。
【００８８】
（本発明の第３の実施形態の動作の説明）
次に、本発明の第３の実施形態として図８に示したＨＧＷ装置１Ｂの動作について図９を参照しながら詳細に説明する。図９は、本発明の第３の実施形態として図８に示したＨＧＷ装置１Ｂの動作の概要を説明するためのシーケンスチャートであり、電話網２とＨＧＷ装置１Ｂと電話機３との間の信号の流れと、ＨＧＷ装置１Ｂにおける動作と、を説明している。なお、図９においては、ＨＧＷ装置１Ｂに接続された電話機３は、ＮＤ対応電話機であった場合の動作例を示しているので、電話機３をＮＤ対応電話機と表現している。
【００８９】
まず、図８に示すＨＧＷ装置１Ｂは、制御部１２Ｂに電話機検出部１２６を備えているので、ＨＧＷ装置１Ｂは、電話機３の電話回線が物理的に接続されたタイミングで、制御部１２Ｂの電話機検出部１２６が、電話機インタフェース部１４に電話機３の電話回線が物理的に接続されたことを検出することができる。その結果、制御部１２Ｂの電話機検出部１２６により、電話機３の電話回線が物理的に接続されたことを検出すると、図９のシーケンスチャートには示していないが、制御部１２Ｂの電話機制御部１２３の制御により、電話機３との間で、第２の実施形態の図７と同一のシーケンスを実行する。
【００９０】
そして、図７のシーケンスＳｅｑ４９において、ＨＧＷ装置１Ｂが、制御部１２Ｂの電話機制御部１２３の制御により、ＣＡＲ信号（ＮＤ情報受信端末起動信号）を電話機３に対して送信すると、本第３の実施形態においては、第２の実施形態の場合とは異なり、一次応答監視時間としてあらかじめ定めた時間（例えば７秒）が経過するまでの間に、電話機３から一次応答信号としてOff  Hook信号を受信することになる。したがって、ＨＧＷ装置１Ｂは、制御部１２ＢのＮＤ対応検出部１２４において、当該電話機３がＮＤ対応電話機であることを検出し、制御部１２Ｂの記憶部制御部１２２の制御により、記憶部１１ＢのＮＤ対応電話機情報保存部１１１にその旨を保存する。
【００９１】
しかる後、電話網２から当該電話機３に対する電話着信があると、図９のシーケンスが開始される。すなわち、図９のシーケンスチャートにおいて、まず、電話網２が、電話機３に対する電話着信が発生したことをＨＧＷ装置１Ｂに通知するために、電話網２から電話網インタフェース部１３の電話回線Ｌ１、Ｌ２の極性反転を行うと、ＨＧＷ装置１Ｂは、制御部１２Ｂの電話網制御部１２１において、電話網インタフェース部１３の電話回線Ｌ１、Ｌ２の極性反転が行われたことを検出し（シーケンスＳｅｑ６１）、制御部１２Ｂの電話機制御部１２３の制御により、電話機インタフェース部１４に接続された電話機３との間の電話回線Ｌ１、Ｌ２の極性反転を行う（シーケンスＳｅｑ６２）。
【００９２】
さらに、電話網インタフェース部１３の電話回線Ｌ１、Ｌ２の極性反転が行われた後、制御部１２Ｂの電話網制御部１２１において、電話網２から電話網インタフェース部１３に電話着信用呼び出し信号（ＩＲ信号）が送信されてきたことを検出すると（シーケンスＳｅｑ６３）、ＨＧＷ装置１Ｂは、制御部１２ＢのＮＤ契約判定部１２７において、電話機３がＮＤ対応電話機であるにも関わらず、電話網２からＮＤ情報受信端末起動進藤（ＣＡＲ信号）ではなく、電話着信用呼び出し信号（ＩＲ信号）を受け取っているので、当該電話機３はＮＤ未契約の電話機であると判断して、制御部１２Ｂの記憶部制御部１２２の制御により、記憶部１１ＢのＮＤ契約情報保存部１１２にその旨を保存する。
【００９３】
電話網２から電話網インタフェース部１３に電話着信用呼び出し信号（ＩＲ信号）が送信されてきた場合には、ＨＧＷ装置１Ｂは、ＮＤシーケンスではなく、通常の電話着信シーケンスに移行して、制御部１２Ｂの電話機制御部１２３の制御により、電話着信用呼び出し信号（ＩＲ信号）を電話機３に対して送信する（シーケンスＳｅｑ６４）。
【００９４】
なお、シーケンスＳｅｑ６３において、図９の場合とは異なり、電話着信を示す電話回線Ｌ１、Ｌ２の極性反転後に、電話網２からＮＤ情報受信端末起動信号(ＣＡＲ信号)が送信されてきたことを検出した場合には、ＨＧＷ装置１Ｂは、制御部１２ＢのＮＤ契約判定部１２７において、当該電話機３はＮＤ契約済みの電話機であると判断して、制御部１２Ｂの記憶部制御部１２２の制御により、記憶部１１ＢのＮＤ契約情報保存部１１２にその旨を保存する動作が行われる。
【００９５】
シーケンスＳｅｑ６４の動作が終了すると、以降は、ＨＧＷ装置１Ｂは、通常の電話着信シーケンスを実行する。すなわち、制御部１２Ｂの電話機制御部１２３において、電話着信用呼び出し信号（ＩＲ信号）の送信先の電話機３から、電話機インタフェース部１４に対して当該電話機３の送受話器のOff  Hook状態を示すOff  Hook信号が応答信号として送信されてきたことを検出する（シーケンスＳｅｑ６５）。その結果、ＨＧＷ装置１Ｂは、制御部１２Ｂの電話網制御部１２１の制御により、Off  Hook信号を応答信号として電話網２に対して送信する（シーケンスＳｅｑ６６）。
【００９６】
ＨＧＷ装置１Ｂは、しかる後、制御部１２Ｂの電話網制御部１２１において、電話網２から電話網インタフェース部１３の電話回線Ｌ１、Ｌ２の極性復極が行われたことを検出すると（シーケンスＳｅｑ６７）、ＨＧＷ装置１Ｂは、制御部１２Ｂの電話機制御部１２３の制御により、電話機インタフェース部１４の電話機３との間の電話回線Ｌ１、Ｌ２の極性復極を行う（シーケンスＳｅｑ６８）。この結果、当該電話機３は、電話網２側の発信元の電話機との間で通信中の状態に移行する（シーケンスＳｅｑ６９）。
【００９７】
電話網２側の発信元の電話機が先にOn  Hookして通話が終了すると、電話網２からビジートーンが送信されてくるので、ＨＧＷ装置１Ｂは、制御部１２Ｂの電話網制御部１２１において、電話網２から電話網インタフェース部１３にビジートーンが送信されてきたことを検出する（シーケンスＳｅｑ７０）。その結果、ＨＧＷ装置１Ｂは、制御部１２Ｂの電話機制御部１２３の制御により、ビジートーンを電話機３に対して送信する（シーケンスＳｅｑ７１）。
【００９８】
しかる後、ＨＧＷ装置１Ｂは、ビジートーンの送信先の電話機３から電話機インタフェース部１４に、当該電話機３の送受話器のOn  Hook状態への復帰を示すOn  Hook信号が終話信号として送信されてきたことを制御部１２Ｂの電話機制御部１２３において検出すると（シーケンスＳｅｑ７２）、ＨＧＷ装置１Ｂは、当該電話機のＮＤ対応状態およびＮＤ契約状態を確認するために、制御部１２Ｂの記憶部制御部１２２の制御により、ＮＤ契約情報保存部１１２とＮＤ対応電話機情報保存部１１１との保存内容を確認する。
【００９９】
なお、電話機３が先にOn  Hookして通話を終了した場合には、図９に破線の矢印線のよるシーケンスとして示しているように、当該電話機３からOn  Hook信号が終話信号として送信されてきたことを検出すると（シーケンスＳｅｑ７０Ａ）、ＨＧＷ装置１Ｂは、制御部１２Ｂの電話網制御部１２１の制御により、On  Hook信号を終話信号として電話網２に対して送信する（シーケンスＳｅｑ７１Ａ）。しかる後、前述したシーケンスＳｅｑ７２の動作終了後の場合と同様、制御部１２Ｂの記憶部制御部１２２の制御により、ＮＤ契約情報保存部１１２とＮＤ対応電話機情報保存部１１１との保存内容を確認する動作を行う。
【０１００】
ＮＤ契約情報保存部１１２とＮＤ対応電話機情報保存部１１１との保存内容の確認結果、当該電話機３が、前述したように、ＮＤ対応電話機であるにも関わらず、ＮＤ未契約の状態にあることを検知すると、ＨＧＷ装置１Ｂは、ＮＤ契約を促すアナウンスを当該電話機３に送信するために、ＮＤシーケンスに復帰して、制御部１２Ｂの電話機制御部１２３の制御により、再度、電話着信用呼び出し信号（ＩＲ信号）を電話機３に対して送信する（シーケンスＳｅｑ７３）。
【０１０１】
電話機３は、ＨＧＷ装置１から送信されてきた電話着信用呼び出し信号（ＩＲ信号）を受信すると、該ＩＲ信号による電話着信用呼び出し音（ＩＲ）の鳴動が始まる。該電話着信用呼び出し音（ＩＲ）の鳴動を聴いた電話機３のユーザ４が、電話機３の送受話器を持ち上げると、Off  Hook信号が電話着信用呼び出し信号（ＩＲ信号）に対する二次応答信号として電話機３からＨＧＷ装置１に送信される（シーケンスＳｅｑ７４）。
【０１０２】
電話着信用呼び出し信号（ＩＲ信号）に対する二次応答信号として、Off  Hook信号を電話機３から受信すると、ＨＧＷ装置１は、制御部１２の電話機制御部１２３の制御により、ＮＤ契約を促すアナウンスを当該電話機３に対して送信する（シーケンスＳｅｑ７５）。ＨＧＷ装置１からの前記アナウンスを受信して、該アナウンスを音声として聴取した電話機３のユーザ４が、ＮＤ対応電話機を使用しているにも関わらず、ＮＤ未契約の状態にあることを認識するとともに、送受話器を元の位置に戻してOn  Hook状態にすると、On  Hook信号が切断信号として、ＨＧＷ装置１に対して送信されてくる（シーケンスＳｅｑ７６）。その結果、ＮＤシーケンスが終了する。
【０１０３】
また、ＨＧＷ装置１Ｂは、電話着信用呼び出し信号（ＩＲ信号）の送信時に、該電話着信用呼び出し信号（ＩＲ信号）に対する二次応答信号が、あらかじめ定めた一定時間以内に返送されてくるか否かを監視しており、該一定時間以内に電話機３から二次応答信号が返送されてこなく、タイムアウトした場合には、前記アナウンスの送信動作を中止して、ＮＤシーケンスを終了させる。
【０１０４】
なお、前記アナウンスは、電話機３の契約内容を見直して、ＮＤ契約に更新することを促すアナウンスに限るものではない。例えば、当該電話機３の契約内容はＮＤ未契約のままにして、使用している当該電話機３自身をＮＤ対応電話機からＮＤ非対応電話機に交換することを促すアナウンスとすることも可能である。また、前述した場合とは異なり、ＮＤ対応検出部１２４において、電話機３がＮＤ非対応電話機であることを検出したにも関わらず、ＮＤ契約判定部１２７において、当該電話機３の契約内容がＮＤ契約済みの電話機であると判定された場合には、前記アナウンスとして、当該電話機３をＮＤ対応電話機に交換するか、あるいは、当該電話機３の契約内容を見直してＮＤ未契約に変更するか、のいずれかのアナウンスとすることも可能である。
【０１０５】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０６】
１        ＨＧＷ装置（ホームゲートウェイ装置）
１Ａ      ＨＧＷ装置（ホームゲートウェイ装置）
１Ｂ      ＨＧＷ装置（ホームゲートウェイ装置）
２        電話網
３        電話機
４        ユーザ
１１      記憶部
１１Ｂ    記憶部
１２      制御部
１２Ａ    制御部
１２Ｂ    制御部
１３      電話網インタフェース部
１４      電話機インタフェース部
１１１    ＮＤ対応電話機情報保存部
１１２    ＮＤ契約情報保存部
１２１    電話網制御部
１２２    記憶部制御部
１２３    電話機制御部
１２４    ＮＤ対応検出部
１２５    通知部
１２６    電話機検出部
１２７    ＮＤ契約判定部
【図１】
2019083464.tif 000003
【図２】
2019083464.tif 000004
【図３】
2019083464.tif 000005
【図４】
2019083464.tif 000006
【図５】
2019083464.tif 000007
【図６】
2019083464.tif 000008
【図７】
2019083464.tif 000009
【図８】
2019083464.tif 000010
【図９】
2019083464.tif 000011
【図１０】
2019083464.tif 000012
【図１１】
2019083464.tif 000013